(57)【要約】      （修正有）【課題】蓋体内に挿入した指先で安全、且つ確実に開口することができる改ざん防止機能付き包装箱を提供する。【解決手段】内天板の開口側端部に箱体１０の内側に重ねる差込片を形成する。箱体１０側面に挿入口１２を開口せしめる除去片を形成する。除去片を除去すると箱体１０側面に挿入口１２が開口するように設ける。挿入口１２から内天板の折込片２１Ｂが露出するように設ける。露出した折込片２１Ｂを外天板２２の内側に指で折り込む。折込片２１Ｂに重なった箱体１０を指で持ち上げて開口するように構成する。【選択図】図７
0003224841.tif 000002
【実用新案登録請求の範囲】
【請求項１】
シート体を折曲して形成した矩形状箱体の上部開口縁に揺動自在に設けられた改ざん防止機能付きの蓋体を形成し、該蓋体内に挿入した指先で蓋体を強制的に開口するように構成された改ざん防止機能付き包装箱において、
蓋体は上部開口縁で対向する内天板と外天板とが揺動自在に折り重なるように形成され、一方の内天板の開口側端部に箱体の内側に重ねる差込片を形成すると共に、該差込片の長手中央に折込片を屈曲自在に形成し、他方の外天板の開口側端部に差込固定片を形成し、該差込固定片を内天板と箱体との境界部分に形成された差込用切込線に差し込んで再開口不能に施蓋するように設け、
該外天板の揺動側端部に破断予定線を形成すると共に、該外天板に隣接する箱体側面に挿入口を開口せしめる除去片を形成し、
該除去片を除去すると箱体側面に挿入口が開口して内天板の折込片が露出するように設け、露出した折込片を内天板の内側に指で折り込み、該折込片に重なった内天板と外天板とを指で持ち上げて開口するように構成したことを特徴とする改ざん防止機能付き包装箱。
【請求項２】
前記差込固定片は、前記外天板の開口側端部から舌片状に突設され、該差込固定片の基端部側で屈曲する屈曲部の両側に切込みを形成して施蓋時に前記差込用切込線の上に重ねる重合部を設け、
前記差込用切込線は、前記内天板と前記箱体との境界部分に前記差込固定片を挿入可能な長さに形成され、施蓋時に内天板を屈曲すると差込用切込線の長手両端部を閉塞する一対の突出部と、差込用切込線の長手中央から前記内天板がわに凹状に形成され施蓋時に前記差込固定片の長手中央部に係合する係合凹部とを備え、
前記差込用切込線に前記差込固定片を挿入したときに前記差込固定片の中央部が係合凹部に係合すると共に、重合部が突出部上に重なるように形成した請求項１記載の改ざん防止機能付き包装箱。
【請求項３】
前記挿入口は、前記折込片の全体が露出するように開口すると共に、前記挿入口の下端部側に横長の略楕円形状に開口する拡大部を備えた請求項１記載の改ざん防止機能付き包装箱。
【考案の詳細な説明】
【技術分野】
【０００１】
図箱
本考案は、施蓋した容器がいたずらや不法行為等によって開口されたか否かを判別する改ざん防止機能付き包装箱に係り、化粧品、薬品、ドリンク剤、その他商品を収納し店頭等に陳列することができる改ざん防止機能付き包装箱に関するものである。
【背景技術】
【０００２】
従来、蓋体の開口を容易にする包装容器は種々のものが提供されている。例えば、特許文献１に示す包装用箱では、施蓋時の蓋と接する箱体周面の端縁部に分離可能な切込部と、この切込部に連設して分離不能に保持する接続部とを設けたものである。
【０００３】
そして、商品を取り出す際、切込に親指等を押し込み、その状態で上蓋を上方に開けると、フラップの切込が破れて上蓋が開くように構成されたものである。
【０００４】
ところが、特許文献１の包装容器は蓋体の開口を容易にすることは可能でも、この蓋体が開口されたか否かを判別する改ざん防止機能を備えていない構成であった。したがって、店頭販売用の包装箱として不安があった。
【０００５】
しかも、この構成では、蓋体を開口する際に、切込に親指等を当てて押し込んだ後、指先をある程度深く押し込まないと上蓋に指先を掛けることができない。そのため、切込に親指等を当てて押し込む際に、爪の生え際部分を切込縁で擦ってしまう虞があった。
【０００６】
そこで本考案者は、これらの不都合を解消すべく、先に特許文献２、特許文献３に示す組立包装用箱を提案している。すなわち、蓋体に隣接する箱体側面に形成した除去片を破断すると、蓋体に形成した摘み片が露出するように形成し、この摘み片を手指で摘み、上方に強制移動させることで下天板、中天板及び上天板から成る蓋体を同時に開口するように構成し、さらに、いたずらや不法行為等によって開口されると破断する破断予定線による改ざん防止機能を備えたものである。
【先行技術文献】
【特許文献】
【０００７】
【特許文献１】実開平４−５３６１８号公報
【特許文献２】特許第４７７５７４２号公報
【特許文献３】実用新案登録第３１５０８８０公報
【考案の概要】
【考案が解決しようとする課題】
【０００８】
特許文献２、特許文献３の組立包装用箱は、摘み片を持ち上げることで下天板、中天板及び上天板を同時に開口させる構成なので、摘み片に多くの負荷がかかることになる。そのため、摘み片を持ち上げる際に、万が一、摘み片が破断すると、開口操作に支障が生じる虞がある。
【０００９】
また、特許文献１のように蓋体内に指を挿入して開口する包装用箱は、指先を開口部にある程度深く押し込まないと上蓋に指先を掛けることができない構成であった。そのため、爪の生え際部分を切込縁で擦ってしまう虞があるなど、操作時における安全性の課題がある。しかも、この包装用箱は、改ざん防止機能を備えていないので、店頭販売用の包装箱として使用する際の不安もある。
【００１０】
また、特許文献２、特許文献３のように改ざん防止機能を備えていても、開口時に破断する破断予定線による改ざん防止機能では、この破断予定線を開口しない不正な操作に対応することが困難になる。特に、店頭販売の商品を不正に開口する場合、破断予定線を破断することなく蓋体を開口しようとする傾向が多い。
【００１１】
そこで本考案は、上述の課題を解消すべく案出されたもので、蓋体内に挿入して開口する包装箱において、安全に開口することができ、しかも店頭販売等にも適した改ざん防止機能付き包装箱の提供を目的とする。
【課題を解決するための手段】
【００１２】
上述の目的を達成すべく本考案における第１の手段は、シート体Ｐを折曲して形成した矩形状箱体１０の上部開口縁１１に揺動自在に設けられた改ざん防止機能付きの蓋体２０を形成し、該蓋体２０内に挿入した指先で蓋体２０を強制的に開口するように構成された改ざん防止機能付き包装箱において、
蓋体２０は上部開口縁１１で対向する内天板２１と外天板２２とが揺動自在に折り重なるように形成され、
一方の内天板２１の開口側端部に箱体１０の内側に重ねる差込片２１Ａを形成すると共に、該差込片２１Ａの長手中央に折込片２１Ｂを屈曲自在に形成し、
他方の外天板２２の開口側端部に差込固定片２２Ａを形成し、該差込固定片２２Ａを内天板２１と箱体１０との境界部分に形成された差込用切込線１３に差し込んで再開口不能に施蓋するように設け、
該外天板２２の揺動側端部に破断予定線２２Ｂを形成すると共に、該外天板２２に隣接する箱体１０側面に挿入口１２を開口せしめる除去片１４を形成し、
該除去片１４を除去すると箱体１０側面に挿入口１２が開口して内天板２１の折込片２１Ｂが露出するように設け、
露出した折込片２１Ｂを内天板２１の内側に指で折り込み、該折込片２１Ｂに重なった内天板２１と外天板２２とを指で持ち上げて開口するように構成したものである。
【００１３】
第２の手段において、前記差込固定片２２Ａは、前記外天板２２の開口側端部から舌片状に突設され、該差込固定片２２Ａの基端部側で屈曲する屈曲部の両側に切込みを形成して施蓋時に前記差込用切込線１３の上に重ねる重合部２２Ａａを設け、
前記差込用切込線１３は、前記内天板２１と前記箱体１０との境界部分に前記差込固定片２２Ａを挿入可能な長さに形成され、施蓋時に内天板２１を屈曲すると差込用切込線１３の長手両端部を閉塞する一対の突出部１３Ａと、差込用切込線１３の長手中央から前記内天板２１がわに凹状に形成され施蓋時に前記差込固定片２２Ａの長手中央部に係合する係合凹部１３Ｂとを備え、
前記差込用切込線１３に前記差込固定片２２Ａを挿入したときに前記差込固定片２２Ａの中央部が係合凹部１３Ｂに係合すると共に、重合部２２Ａａが突出部１３Ａ上に重なるように形成したことにある。
【００１４】
第３の手段の前記挿入口１２は、前記折込片２１Ｂの全体が露出するように開口すると共に、前記挿入口１２の下端部側に横長の略楕円形状に開口する拡大部１２Ａを備えたものである。
【考案の効果】
【００１５】
本考案の請求項１により、挿入口１２から露出した折込片２１Ｂを内天板２１の内側に指で折り込み、該折込片２１Ｂに重なった内天板２１と外天板２２とを指で持ち上げて開口するように構成したことで、蓋体２０を指先だけで安全且つ容易に開口することができる。
【００１６】
しかも、外天板２２の開口側端部に差込固定片２２Ａを形成し、該差込固定片２２Ａを内天板２１と箱体１０との境界部分に形成された差込用切込線１３に差し込んで再開口不能に施蓋する改ざん防止機能を備えているので、不正に開けようとしても差込固定片２２Ａが変形、破損してしまうので容易に判別可能になる。この結果、付勢開封の抑止効果が期待でき、店頭販売用の包装箱として使用する際の不安も解消された。
【００１７】
請求項２のように、差込用切込線１３に差込固定片２２Ａを挿入したときに差込固定片２２Ａの中央部が係合凹部１３Ｂに係合すると共に、重合部２２Ａａが突出部１３Ａ上に重なるように形成したことにより、差込用切込線１３に挿入した差込固定片２２Ａは差込用切込線１３からの再開封を確実に防止することができる。したがって、どのように開口しようとしても、必ず差込固定片２２Ａが破損することになり、確実な改ざん防止機能を実現することができる。
【００１８】
請求項３のごとく、挿入口１２は、前記折込片２１Ｂ全体が露出するように開口すると共に、前記挿入口１２の下端部側に横長の略楕円形状に開口する拡大部１２Ａを備えているので、挿入口１２に指先を挿入する操作が極めて容易になり、爪の生え際部分を擦ってしまう虞も解消した。
【図面の簡単な説明】
【００１９】
【図１】本考案の包装箱を例示する展開図である。
【図２】本考案の包装箱の蓋体を開けた状態を示す縦断面図である。
【図３】図２の蓋体を閉じる過程の状態を示す縦断側面図である。
【図４】図２の蓋体を閉じた状態を示す縦断側面図である。
【図５】本考案の蓋体を閉じた状態を示す斜視図である。
【図６】図５の除去片を折り返した状態を示す斜視図である。
【図７】図５の摘み片を指で押し込んだ状態を示す斜視図である。
【図８】図５の破断予定線から内天板を切り離した状態を示す斜視図である。
【図９】図５の内天板と外天板とを開口した状態の斜視図である。
【図１０】本考案の改ざん防止構造を示す展開時の斜視図である。
【図１１】本考案の改ざん防止構造を示す施蓋時の斜視図である。
【考案を実施するための形態】
【００２０】
本考案の基本構成は、シート体Ｐを折曲して形成する矩形状の箱体１０と、箱体１０の上部開口縁１１に揺動自在に設けられ、箱体１０を施蓋する蓋体２０とで構成されたものである（図１参照）。特に、この蓋体２０は、蓋体２０内に挿入した指先で蓋体２０を強制的に開口するように構成したものである（図７参照）。また、改ざん防止機能も備えている（図１０、図１１参照）。尚、本考案において、箱体１０の構成は開口部が矩形状を成すものであればよく、箱体１０の胴体部のサイズや形状、及び、底部のサイズや構成などは任意に変更することができる。
【００２１】
本考案の蓋体２０の基本構成は、矩形状を成す上部開口縁１１で対向する内天板２１と外天板２２とが揺動自在に折り重なるように形成されている（図２〜図４参照）。図示例では、箱体１０の上部開口縁１１に、対向する一対の折曲片２３、２４を設けてある（図１参照）。そして、施蓋時に、これらの折曲片２３、２４を開口部に折り込んだ上に、内天板２１を重ねて折り込み（図３参照）、さらに、内天板２１の上に外天板２２を折り込んで重ねるものである（図４参照）。
【００２２】
改ざん防止機能は、外天板２２の差込固定片２２Ａを、箱体１０の開口縁側の差込用切込線１３に差し込むことで機能する（図１０参照）。すなわち、外天板２２の開口側端部に差込固定片２２Ａを形成している。そして、この差込固定片２２Ａを差込用切込線１３に差し込むことで再開口不能になるように設けている（図１１参照）。
【００２３】
この差込固定片２２Ａは、外天板２２の開口側端部に舌片状に突設されている（図１０参照）。そして、この差込固定片２２Ａの基端部側で屈曲する屈曲部の両側に切込みを形成することで、施蓋時に差込用切込線１３の両端上に重ねる一対の重合部２２Ａａを設けている。
【００２４】
一方、差込用切込線１３は、内天板２１と箱体１０との境界部分に形成された部位で、差込固定片２２Ａを挿入可能な長さに形成されている（図１０参照）。この差込用切込線１３は、突出部１３Ａと係合凹部１３Ｂとを備えている。
【００２５】
突出部１３Ａは、内天板２１を屈曲すると差込用切込線１３の長手両端部を閉塞する一対の部位である（図１０参照）。また、係合凹部１３Ｂは、施蓋時に前記差込固定片２２Ａの長手中央部に係合する部位で、差込用切込線１３の長手中央から前記内天板２１側に凹状に形成されている。そして、差込用切込線１３に差込固定片２２Ａを挿入したときに差込固定片２２Ａの中央部が係合凹部１３Ｂに係合する（図４参照）。このとき、重合部２２Ａａが突出部１３Ａ上に重なるものである（図１０参照）。
【００２６】
この結果、差込固定片２２Ａを差込用切込線１３内に挿入して施蓋すると、差込固定片２２Ａの両側が内天板２１の下面に係止すると共に、差込用切込線１３の両側は突出部１３Ａと重合部２２Ａａとで塞がれて再開口不能な状態になる（図１１参照）。仮に、この差込固定片２２Ａを無理に開けようとすると差込固定片２２Ａが破損することになるので、不法に開口しようとしたことが判別できる。
【００２７】
この改ざん防止用の差込固定片２２Ａを使用して箱体１０を施蓋するには、次の手順になる。すなわち、蓋体２０の内天板２１、外天板２２、折曲片２３をすべて解放した状態から（図２参照）、まず左右の折曲片２３、２４を開口部内に折りたたみ、その上に内天板２１を折り重ねる（図３参照）。このとき、内天板２１の折込片２１Ｂは、箱体１０の除去片１４の内側に重なるように挿入されている。さらに、外天板２２を内天板２１上に折り重ね、差込固定片２２Ａを差込用切込線１３内に挿入すると蓋体２０の施蓋が完了する（図４、図１１参照）。
【００２８】
このように、再開口不能に施蓋した外天板２２を開口するには、外天板２２の破断予定線２２Ｂを切り破ることで開口する（図８参照）。すなわち、外天板２２の揺動側端部には破断予定線２２Ｂが形成されている（図１、図５参照）。そして、除去片１４を除去すると箱体１０側面に挿入口１２が開口する（図６参照）。
【００２９】
このとき、この挿入口１２から内天板２１の折込片２１Ｂが露出するように設けている。図示の除去片１４は、箱体１０側にわずかに円弧状に突出する係止突起１４Ａを設けている（図１、図５参照）。そして、除去片１４を除去する際はこの係止突起１４Ａに指をかけることで除去片１４の除去作業を容易にしている。
【００３０】
そして挿入口１２から露出した折込片２１Ｂを内天板２１の内側に指で折り込むと、この折込片２１Ｂの上に内天板２１と外天板２２とが重なった状態になる（図７参照）。この状態で折込片２１Ｂを指で持ち上げると、外天板２２の破断予定線２２Ｂが破断して外天板２２が開口する（図８参照）。この際、内天板２１は外天板２２の下に重なった状態で開口する（図９参照）。したがって、開口した内天板２１の揺動端部側に、外天板２２の差込固定片２２Ａが差込用切込線１３に差し込まれている状態が見えるようになる。
【００３１】
指を挿入する挿入口１２は、折込片２１Ｂのほぼ全体が露出するように開口する（図６参照）。さらに、挿入する指が挿入口１２に接触しないように、挿入口１２の下端部側を拡大し、横長の略楕円形状に開口する拡大部１２Ａを設けている（図７参照）。
【００３２】
尚、本考案の構成は図示例に限られるものではなく、本考案の要旨を変更しない範囲での設計変更は自由に行えるものである。
【符号の説明】
【００３３】
Ｐ  シート体
１０  箱体
１１  上部開口縁
１２  挿入口
１２Ａ  拡大部
１３  差込用切込線
１３Ａ  突出部
１３Ｂ  係合凹部
１４  除去片
１４Ａ  係止突起
２０  蓋体
２１  内天板
２１Ａ  差込片
２１Ｂ  折込片
２２  外天板
２２Ａ  差込固定片
２２Ａａ  重合部
２２Ｂ  破断予定線
２３  折曲片
２４  折曲片
【図１】
0003224841.tif 000003
【図２】
0003224841.tif 000004
【図３】
0003224841.tif 000005
【図４】
0003224841.tif 000006
【図５】
0003224841.tif 000007
【図６】
0003224841.tif 000008
【図７】
0003224841.tif 000009
【図８】
0003224841.tif 000010
【図９】
0003224841.tif 000011
【図１０】
0003224841.tif 000012
【図１１】
0003224841.tif 000013